(57)【要約】【課題】本発明は、洗濯機用支持台に関するもので、特に組立性を向上させた洗濯機用支持台に関するものである。【解決手段】洗濯機または衣類乾燥機の下部を所定の高さに支持する支持台本体と、洗濯機または衣類乾燥機を支持台本体に固定させるために、洗濯機または衣類乾燥機の側面と支持台本体の側面に備えられる少なくとも一つの結合手段を備えている。また、結合手段は、洗濯機または衣類乾燥機の側面と、その下部に備えられる支持台本体の側面に備えられる結合部材と、結合部材を洗濯機または衣類乾燥機の側面と、支持台本体の側面に固定させる固定部材とを備えていることを特徴とする。【選択図】図２Ａ
2004358214.tif 000002
【特許請求の範囲】
【請求項１】
洗濯機または衣類乾燥機を所定の高さに支持する支持台本体と、
前記洗濯機または衣類乾燥機を前記支持台本体に固定させるために、前記洗濯機または衣類乾燥機の側面と前記支持台本体の側面とに配置される少なくとも一つの結合手段と
を備えている支持台。
【請求項２】
前記結合手段は、
前記洗濯機または衣類乾燥機の側面と、洗濯機の下に置かれる前記支持台本体の側面とに配置される結合部材と、
前記結合部材を前記洗濯機または衣類乾燥機の側面と前記支持台本体の側面とに固定させる固定部材と
を備えていることを特徴とする請求項１に記載の支持台。
【請求項３】
前記固定部材は，
前記結合部材の上側を前記洗濯機または前記衣類乾燥機の側面下部に固定させる第１固定部材と
前記結合部材の下側を前記支持台側面上部に固定させる第２固定部材とを備えていることを特徴とする請求項２に記載の支持台。
【請求項４】
前記第１固定部材または第２固定部材のうち、少なくとも何れか一つは、両面に接着性物質を塗布することを特徴とする請求項３に記載の支持台。
【請求項５】
前記両面に接着性物質が塗布されている固定部材は両面テープであることを特徴とする請求項４に記載の支持台。
【請求項６】
前記第１固定部材または第２固定部材のうち、少なくとも何れか一つはねじであることを特徴とする請求項３に記載の支持台。
【請求項７】
前記第１固定部材または第２固定部材のうち、何れか一つは両面に接着性物質を塗布し、残りの一つはねじからなることを特徴とする請求項３に記載の支持台。
【請求項８】
前記両面に接着性物質が塗布されている固定部材は両面テープであることを特徴とする請求項８に記載の支持台。
【請求項９】
前記支持台本体は品物を収納できる収納部を更に備えていることを特徴とする請求項１に記載の支持台。
【請求項１０】
前記収納部は前記支持台本体の前面部が開放される引き出し型からなることを特徴とする請求項９に記載の支持台。
【請求項１１】
前記結合手段は前記洗濯機または衣類乾燥機の高さ調節が可能であることを特徴とする請求項１に記載の支持台。
【請求項１２】
前記結合手段は、
前記洗濯機または衣類乾燥機の側面と、その下部に備えられる前記支持台本体の側面に接するように配置される結合部材と、
前記洗濯機または衣類乾燥機の下部と、前記支持台本体の上部との間を所定間隔で維持できるように、前記結合部材に脱着可能で、しかも様々な厚さを持つ間隔調節部材と、
前記結合部材を前記洗濯機または衣類乾燥機の側面と前記支持台本体の側面に固定させる固定部材を備えていることを特徴とする請求項１１に記載の支持台。
【請求項１３】
洗濯機または衣類乾燥機を所定の高さに支持する支持台本体と、
前記洗濯機または衣類乾燥機の下部の角に固定されるコーナー支持部材と、
前記各コーナー支持部材を前記支持台本体に固定させるために、前記各コーナー支持部材の側面と前記支持台本体の側面とに配置される結合手段を備えている支持台。
【請求項１４】
前記結合手段は、
前記コーナー支持部材の側面と前記支持台本体の側面とに接するように配置される結合部材と、
前記結合部材を、前記洗濯機または衣類乾燥機の側面と前記支持台本体の側面とに固定させる固定部材を備えていることを特徴とする請求項１３に記載の支持台。
【請求項１５】
前記固定部材は、
前記結合部材の上側を前記コーナー支持部材の側面に固定させる第１固定部材と、
前記結合部材の下側を前記支持台側面上部に固定させる第２固定部材と
を備えていることを特徴とする請求項１４に記載の支持台。
【請求項１６】
前記第１固定部材または第２固定部材のうち、少なくとも何れか一つは両面に接着性物質が塗布されることを特徴とする請求項１５に記載の支持台。
【請求項１７】
前記両面に接着性物質が塗布された固定部材は両面テープであることを特徴とする請求項１６に記載の支持台。
【請求項１８】
前記第１固定部材または第２固定部材のうち、少なくともいずれか一つはねじであることを特徴とする請求項１５に記載の支持台。
【請求項１９】
前記第１固定部材または第２固定部材のいずれか一つは両面に接着性物質が塗布され、残りの一つはねじからなることを特徴とする請求項１５に記載の支持台。
【請求項２０】
前記両面に接着性物質が塗布されている固定部材は両面テープであることを特徴とする請求項１９に記載の支持台。
【請求項２１】
前記コーナー支持部材は、
前記洗濯機または衣類乾燥機の下部に固定される水平パネルと、
前記水平部の一辺から垂直に折り曲がり、前記支持台本体の上部に接触する垂直曲折部を備えていることを特徴とする請求項１３に記載の支持台。
【請求項２２】
前記支持台本体は品物を収納することができる収納部を更に備えていることを特徴とする請求項１３に記載の支持台。
【請求項２３】
洗濯機または衣類乾燥機を所定の高さに支持する支持台本体と、
前記支持台本体の上部に備えられ、前記洗濯機または衣類乾燥機の下部レッグの側面を支持し、前記洗濯機または衣類乾燥機を前記支持台本体に固定するレッグサポーターを備えている支持台。
【請求項２４】
前記各レッグサポーターは，
前記洗濯機レッグが安定的に収容可能に形成された第１収容ホールと、
前記衣類乾燥機レッグが安定的に収容可能に形成された第２収容ホールを備えている請求項２３に記載の支持台。
【請求項２５】
前記レッグサポーターは前記支持台本体上部の四方にそれぞれ固定されることを特徴とする請求項２４に記載の支持台。
【請求項２６】
前記レッグサポーターは前記支持台本体上部の各角に固定されることを特徴とする請求項２４に記載の支持台。
【請求項２７】
前記支持本体前側の角に固定される二つのレッグサポーターに形成される前記第１収容ホールと第２収容ホールは互いに繋がれ、
前記支持台本体の後ろ側の角に固定する二つのレッグサポーターに形成される前記第１収容ホールと第２収容ホールは互いに区切られることを特徴とする請求項２６に記載の支持台。
【請求項２８】
前記支持本体前側の角に固定される二つのレッグサポーターは前記洗濯機前側の下面を支持するように締結されることを特徴とする請求項２７に記載の支持台。
【請求項２９】
前記支持本体前側の角に固定される各レッグサポーターは、前記洗濯機前側の下面を支持するように、前記支持台前方側に突出して形成された支持部材を更に備えていることを特徴とする請求項２８に記載の支持台。
【請求項３０】
前記支持台本体の後ろ側の角に固定される二つのレッグサポーターは前記洗濯機の後ろ側の下部に締結されることを特徴とする請求項２７に記載の支持台。
【請求項３１】
前記支持台本体は品物を収納することができる収納部を更に備えていることを特徴とする請求項２３に記載の支持台。
【請求項３２】
洗濯機または衣類乾燥機を所定の高さに支持する支持台本体と、
前記支持台本体の上部に備えられ、前記洗濯機または衣類乾燥機の下部レッグの側面を支持するレッグサポーターと、
前記洗濯機または衣類乾燥機を前記支持台本体に固定させるために、前記洗濯機または衣類乾燥機の側面と、前記支持台本体の側面とに配置される少なくとも一つの結合手段を備えている支持台。
【請求項３３】
前記各レッグサポーターは、
前記洗濯機レッグが安定的に収容する第１収容ホールと、
前記衣類乾燥機レッグが安定的に収容する第２収容ホールが形成されたパネルと
からなることを特徴とする請求項３２に記載の支持台。
【請求項３４】
前記レッグサポーターは前記支持台本体上部の各角に固定されることを特徴とする請求項３３に記載の支持台。
【請求項３５】
前記支持本体前側の角に固定される二つのレッグサポーターに形成される前記第１収容ホールと第２収容ホールは互いに繋がれ、
前記支持台本体の後ろ側の角に固定する二つのレッグサポーターに形成される前記第１収容ホールと第２収容ホールとは互いに区切られることを特徴とする請求項３４に記載の支持台。
【請求項３６】
前記各レッグサポーターは、
前記支持台本体の上面にねじによって締結することを特徴とする請求項に３５記載の支持台。
【請求項３７】
前記結合手段は、
前記洗濯機または衣類乾燥機の側面と、その下部に備えられる前記支持台本体の側面に接するように備えられる結合部材と、
前記結合部材を前記洗濯機または衣類乾燥機の側面と、前記支持台本体の側面に固定させる固定部材を備えていることを特徴とする請求項３２に記載の支持台。
【請求項３８】
前記固定部材は、
前記結合部材の上側を前記洗濯機または前記衣類乾燥機の側面下部に固定させる第１固定部材と、
前記結合部材の下側を前記支持台の側面上部に固定させる第２固定部材を備えていることを特徴とする請求項３７に記載の支持台。
【請求項３９】
前記第１固定部材または第２固定部材のうち、少なくともいずれか一つは両面に接着性物質が塗布されることを特徴とする請求項３８に記載の支持台。
【請求項４０】
前記両面に接着性物質が塗布されている固定部材は両面テープであることを特徴とする請求項３９に記載の支持台。
【請求項４１】
前記第１固定部材または第２固定部材のうち、少なくとも何れか一つはねじであることを特徴とする請求項３８に記載の支持台。
【請求項４２】
前記第１固定部材または第２固定部材のうち、少なくとも何れか一つは両面に接着性物質が塗布され、残りの一つはねじからなることを特徴とする請求項３８に記載の支持台。
【請求項４３】
前記両面に接着性物質が塗布されている固定部材は両面テープであることを特徴とする請求項４２に記載の支持台。
【請求項４４】
前記結合手段は前記洗濯機または衣類乾燥機レッグの高さの変化に対応して、前記洗濯機または衣類乾燥機を、前記支持台本体に固定させることができることを特徴とする請求項３７に記載の支持台。
【請求項４５】
前記固定部材はねじからなることを特徴とする請求項４４に記載の支持台。
【請求項４６】
前記結合部材は  前記ねじが締結できるように、上端から下端まで所定の間隔で形成された締結孔を有することを特徴とする請求項４５に記載の支持台。
【請求項４７】
前記支持台本体は品物を収納することができる収納部を更に備えていることを特徴とする請求項３２に記載の支持台。
【請求項４８】
前記収納部は前記支持台本体の前面部が開放される引き出し型からなることを特徴とする請求項４７に記載の支持台。
【発明の詳細な説明】
【技術分野】
【０００１】
本発明は洗濯機用支持台に関するもので、特に洗濯機に取り付け易くした洗濯機用支持台に関するものである。
【背景技術】
【０００２】
一般的に、洗濯機はタブの内側で回転するドラム内に入れられた衣服、寝具などに付着した汚れを除去するためのもので、タブ内に収容された洗剤と水の作用を利用して洗濯し、濯ぎ、脱水することによって洗濯物を洗浄する装置である。
洗濯機には、洗濯物投入口が洗濯機本体の上部に位置するトップローディング方式洗濯機と、洗濯物投入口が洗濯機本体の前面に位置するフロントローディング方式洗濯機とが知られている。
【０００３】
フロントローディング方式洗濯機は、一般的にドラム洗濯機とも言われている。そのドラム洗濯機は前記したように本体前面に形成した投入口から洗濯物の出し入れを行う。
ところが、ドラム洗濯機は、結果的に洗濯物投入口が低く形成されることになるので、洗濯機の使用者は洗濯物の出し入れのために腰を曲げて作業をしなければならないという不便さがあった。
【０００４】
このような不便を解消させるために、洗濯機を所定の高さに支持するため、洗濯機の下に設けられる洗濯機用支持台が開発され、使用されている。
図１Ａは、その一般的な洗濯機と洗濯機用支持台をあらわしたものである。
図１Ａを参照すれば、一般的な洗濯機１０は、外観を成す六面体のキャビネット１１やそのキャビネットの内部に設置される洗濯槽、各種電子部品（図示せず）を備えている。
洗濯機の投入口１３を所定の高さにするための洗濯機用支持台２０が洗濯機１０の下に設置されている。
【０００５】
この支持台２０は、洗濯機を載せ、所定の高さにするための支持台本体２１を有し、その本体は、通常前側から引出式に開放可能に形成された収納部２２を備えている。なお、本明細書において前後とは洗濯機が使用状態に設置された状態で投入口が設けられている側である。また、両者の平面的な大きさは同じであることが望ましいが、洗濯機を安定に載せておくことができればどちらかが大きくても差し支えない。
収納部２２には各種の品物、例えば洗濯機用洗剤や洗濯機修理用道具などを収納可能である。
支持台は洗濯機下部と直接接する上部パネル２１ａを有しており、支持台と洗濯機が上部パネル２１ａの内側から洗濯機のキャビネットの下面を貫通するねじ（図示せず）によって締結される。
【０００６】
上記のように、ねじによって洗濯機１０が支持台２０に固定されるので、作業者はねじを締め付けるため、洗濯機を床に横に降ろした状態で支持台を傾けて洗濯機の下に固定させた後、その支持台が締結された洗濯機を立ち上げて希望する位置に設置しなければならないという問題点があった。
そして、その問題点により、洗濯機支持台設置の所要時間が長引き、かなり重い洗濯機を作業者が支えなければならないので、腰や腕などにけがをするおそれがあった。
【０００７】
また、従来の洗濯機用支持台は、洗濯機の作動時に発生する振動を低減させることができず、洗濯機及び支持台の振動がひどく、激しい騷音が発生するという問題点もあった。
これらの問題点から、洗濯機支持台の組立てを容易にし、洗濯機の作動時に発生する振動の伝達を低減させ、騷音発生を減らすことができる洗濯機用支持台の開発が要求されている。
【発明の開示】
【発明が解決しようとする課題】
【０００８】
本発明は、上述した問題点を解決するために案出されたもので、本発明の目的は、洗濯機または衣類乾燥機に対する組み立てを簡単、かつ速かに行える支持台を提供することをその目的とする。
本発明の他の目的は、洗濯機の作動中に発生する振動を低減させる支持台を提供することである。
本発明のさらに他の目的は、洗濯機用だけではなく衣類乾燥機用にも使用が可能な支持台を提供することにある。
【課題を解決するための手段】
【０００９】
上記した目的を果たすための本発明は、洗濯機または衣類乾燥機を所定の高さに支持する支持台本体と、洗濯機または衣類乾燥機を支持台本体に固定させるために、洗濯機または衣類乾燥機の側面と支持台本体の側面との双方に配置される少なくとも一つの結合手段とを備えている支持台を提供する。
【００１０】
結合手段は、洗濯機または衣類乾燥機の側面とその下に置かれる支持台本体の側面とに配置される結合部材、および、その結合部材を洗濯機または衣類乾燥機の側面と支持台本体の側面に固定させる固定部材を備えている。
固定部材は、結合部材の上側を洗濯機または衣類乾燥機の側面下部に固定させる第１固定部材と、結合部材の下側を支持台側面上部に固定させる第２固定部材とを備えている。
支持台本体は、品物を収納することができる収納部を更に備えている。
収納部は、支持台本体の前面から開閉可能な引き出しタイプからなっている。
【００１１】
本発明の他の態様は、洗濯機または衣類乾燥機を所定の高さに支持する支持台本体と、洗濯機または衣類乾燥機の下部の角に固定するコーナー支持部材と、各コーナー支持部材を支持台本体に固定させるために、各コーナー支持部材の側面と支持台本体の側面に備えられる結合手段とを備えている支持台を提供する。
【００１２】
このコーナー支持部材用の結合手段も、洗濯機または衣類乾燥機の側面と洗濯機などの下に設けられる支持台本体の側面とに配置される結合部材と、結合部材を洗濯機または衣類乾燥機の側面および支持台本体の側面に固定させる固定部材とを備えている。
【００１３】
本発明のさらに他の態様は、洗濯機または衣類乾燥機を所定の高さに支持する支持台本体と、支持台本体の上面に設けられ、洗濯機または衣類乾燥機の下部レッグの側面を支持し、洗濯機または衣類乾燥機を支持台本体に固定させるレッグサポーターとを備えている支持台を提供する。
【００１４】
各レッグサポーターは、洗濯機レッグが安定的に収容可能に形成された第１収容ホールと、衣類乾燥機レッグが安定的に収容可能に形成された第２収容ホールを備えている。
レッグサポーターは、支持台本体上部の四方にそれぞれ固定され、特に支持台本体上部のそれぞれの角に固定させることができる。
【００１５】
支持本体前側の角に固定される二つのレッグサポーターに形成される第１、第２収容ホールは互いに繋がり、支持台本体後ろ側の角に固定される二つのレッグサポーターに形成される第１、第２収容ホールは互いに区切られている。
そして、支持本体前側の角に固定される二つのレッグサポーターは、洗濯機前側の下面を支持するように締結される。
【００１６】
そのため、支持本体の前側の角に固定される各レッグサポーターは、洗濯機前側の下面を支持するために支持台の前方側に突出するように形成された支持部材を備えている。
そして、支持台本体の後ろ側の角に固定される二つのレッグサポーターは、洗濯機の後ろ側下部に締結される。
【００１７】
また、本発明は、洗濯機または衣類乾燥機を所定の高さに支持する支持台本体と、支持台本体の上部に備えられ、洗濯機または衣類乾燥機の下部レッグの側面を支持するレッグサポーターと、洗濯機または衣類乾燥機を支持台本体に固定させるために、洗濯機または衣類乾燥機の側面と支持台本体の側面に配置される少なくとも一つの結合手段とを備える支持台を提供する。
【００１８】
各レッグサポーターは、洗濯機レッグの安定的な収容のための第１収容ホール、および衣類乾燥機レッグの安定的な収容のための第２収容ホールが形成されたパネルからなる。
レッグサポーターは、支持台本体上部のそれぞれの角に固定される。
【００１９】
支持台本体の前側の角に固定される二つのレッグサポーターに形成される第１、第２収容ホールは互いに繋がり、支持台本体の後ろ側の角に固定される二つのレッグサポーターに形成される第１、第２収容ホールは互いに区切られる。
結合手段は、洗濯機または衣類乾燥機レッグの高さの変化に対応させて、洗濯機または衣類乾燥機を支持台本体に固定させることができる。
【００２０】
固定部材はねじからなり、結合部材はねじの締結を可能とし、上下に所定の間隔で形成された複数の締結孔を持つようにしてもよい。
【００２１】
このように構成された洗濯機または衣類乾燥機用支持台によって、洗濯機または衣類乾燥機との組立てを簡単に、また素早く行え、洗濯機作動時に発生する振動が減衰され、洗濯機用だけではなく衣類乾燥機用でも使用可能な支持台が提供される。
【発明の効果】
【００２２】
上記のような構成から成る本発明の効果は次の通りである。
第一、本発明によれば、洗濯機または衣類乾燥機への組み立てを簡単に、素早く行うことができる。
第二、本発明によれば、洗濯機または衣類乾燥機の作動中に発生する振動を低減でき、これにより騷音が減少する。
第三、本発明によれば、洗濯機用ばかりではなく衣類乾燥機用にも使用可能に共用化された支持台の提供が可能である。
【発明を実施するための最良の形態】
【００２３】
以下、本発明の目的を具体的に実現することができる本発明の望ましい実施形態が例示された図面を参照して説明する。
実施形態の説明に当たって、同一構成に対しては同一名称及び同一符号を使用し、説明が重複するのを避けている。
図２Ａは、本発明実施形態による一般的なドラム洗濯機と洗濯機用支持台を分離してあらわした斜視図である。
図２Ａを参照すれば、支持台は洗濯機を所定の高さに支持する支持台本体２１０と洗濯機を支持台本体に固定させるための結合手段２３０を備えている。
【００２４】
結合手段２３０は、洗濯機の外観を成すキャビネットの側面と支持台本体の側面に少なくとも一つが設けられる。
更に詳しく説明すれば、結合手段２３０は、洗濯機または衣類乾燥機の側面と、その洗濯機などの下に置かれる支持台本体の側面との双方に接するように構成された結合部材２４０と、その結合部材を洗濯機または衣類乾燥機の側面と支持台本体の側面にそれぞれ固定させる固定部材２５０とを備えている。
【００２５】
上記の例では結合部材２４０は小さな板状のものであるが、結合部材２４０の高さと同じ高さで長いものをコ字状に折り曲げ、六面体状の支持台と六面体状の洗濯機の境界の前面部を除く三方を取り囲むようにしても良い（図示せず）。
結合部材は、六面体状の支持台と六面体状の洗濯機の境界の両側面を図２Ａのように相互に固定させる結合部材を二つ以上用いることもできる。
また、図２Ａの構成に加えて、支持台と洗濯機の後ろ側を相互に固定させる第３の結合部材（図示せず）を更に備えてもよい。
【００２６】
固定部材２５０は、結合部材の上側２４１と洗濯機または衣類乾燥機の側面下部を固定させる第１固定部材２５１と、結合部材の下側２４２と支持台側面上部を固定させる第２固定部材２５２を有することが望ましい。
第１固定部材または第２固定部材のうち、少なくとも一つは両面に接着性物質が塗布されたもの、例えば両面テープ２５１ａ、２５２ａからなる。
【００２７】
この例とは異なり、第１固定部材または第２固定部材の中で少なくとも一つは、ねじ２５１ｂ、２５２ｂ（図４Ａ、図５）のような締結手段を設けることもできる。
その際、結合手段２３０は、図３のように洗濯機または衣類乾燥機の高さを調節できるようにしたものでもよい。
【００２８】
このために結合手段２３０は、洗濯機１００または衣類乾燥機の側面と、その下に備えられる支持台本体２１０の側面の両方の側面に接するように構成された結合部材２４０、その結合部材を洗濯機または衣類乾燥機の側面と支持台本体の側面に固定させる固定部材、さらに、洗濯機または衣類乾燥機の下部と支持台本体の上部との間を所定の間隔に維持させることができる間隔調節部材２６０を備えている。
【００２９】
間隔調節部材２６０は、洗濯機１００または衣類乾燥機を所望の高さに調節するために、多数の様々な厚さのものを用意しておくことが望ましい。望みの高さに調整するのに必要な間隔調節部材２６０を、洗濯機または衣類乾燥機の下部と支持台本体の上部との間に配置するだけで高さを調節することができる。
組立性を向上させるために、間隔調節部材２６０は結合部材に脱着可能なものが望ましい。この間隔調節部材２６０は、結合部材の中間部に形成された結合孔２４３に一端を差し込み、結合部材２４０に垂直になるように取り付けられ、その他端側の残り部分を洗濯機の下部と支持台上部の間に挟まれるように設置される。
【００３０】
図２Ａは支持台の第１実施形態をあらわした図であり、第１固定部材２５１及び第２固定部材２５２が全て両面テープ２５１ａ、２５２ａからなることを示した図である。図４Ａは支持台の第２実施形態を示した図で、第１固定部材２５１は両面テープ２５１ａからなり、第２固定部材２５２はねじ２５２ｂからなることを示した図である。
これと異なり、図５は、支持台の第３実施形態であり、第１固定部材及び第２固定部材が全てねじ２５１ａ、２５１ｂからなることを示した図である。
このように第１固定部材２５１がねじ２５１ｂからなる場合に、結合部材の上側には図３Ｂのように所定の間隔でねじが挿入される締結孔が形成される。
【００３１】
図示されてはいないが、結合部材はボンドによって接着することもできる。
支持台本体は品物を収納することができる収納部２２０を備えていることが望ましい。
収納部２２０は、洗濯機の修理用道具や洗濯用洗剤を保管できるように、支持台本体の前側から開閉可能な引き出し型に構成されている。
【００３２】
洗濯機の作動時に洗濯機の外観を成すキャビネットの振動量をあらわした表が図１Ｂ、図２Ｂ、図４Ｂに示してある。図１Ｂは従来の支持台が結合された洗濯機キャビネットの振動量を示した表、図２Ｂは第１実施形態による支持台が結合された洗濯機キャビネットの振動量をあらわした表、図４Ｂは第２実施形態による支持台が結合された洗濯機キャビネットの振動量をあらわした表である。
【００３３】
振動量は、洗濯機キャビネット１１０の中央、上下、左右両側で測定した値である。
表に記載したデータを比べると、第１実施形態ではキャビネット１１０の振動量が従来に比べて５０％以上減少したことがわかり、第２実施形態では振動量が従来に比べて２０％以上減少したことが分かる。
これは支持台２００に備えられた結合部材２４０が、洗濯機から発生する振動を減衰させるからである。表によれば、第３実施形態においても振動減衰効果が発生することが分かるであろう。
支持台は、洗濯機用としてのみ説明したが、洗濯機ばかりではなく衣類乾燥機などのように高さ調節が必要なものには全て適用が可能である。
【００３４】
次に本発明による支持台の第４実施形態について図６を参照して説明する。
図６を参照すれば、本発明の第４実施形態による支持台３００は、洗濯機１００または衣類乾燥機（図示せず）を所定の高さに支持する支持台本体３１０、洗濯機または衣類乾燥機の下部の角に固定されるコーナー支持部材３２０、各コーナー支持部材３２０を支持台本体に固定させるために、各コーナー支持部材の側面と支持台本体の側面の双方の側面に配置される結合手段３３０を備えている。
【００３５】
コーナー支持部材３２０は、洗濯機または衣類乾燥機の下部の角にねじ（図示せず）または両面テープ（図示せず）などによって固定されている。
このコーナー支持部材３２０は、洗濯機または衣類乾燥機の下部（下面）に平行に固定される三角、または四角の水平パネル３２１と、水平パネルの辺から垂直に下向きに折れ曲がり、支持台本体の上部に接触する垂直曲折部、すなわち側面３２２を備えている。
垂直曲折部３２２は、水平パネルの互いに直角を成して接する両辺に形成されることが望ましい。もちろん一辺にのみ形成させても構わない。
【００３６】
結合手段３３０は、コーナー支持部材の側面と、支持台本体の側面に接するように備えられる結合部材３４０、そして結合部材を洗濯機または衣類乾燥機の側面と、支持台本体の側面に固定させる固定部材３５０を備えている。
固定部材は、結合部材の上側３４１をコーナー支持部材の側面に固定させる第１固定部材３５１、そして結合部材の下側３４２を支持台の側面上部に固定させる第２固定部材３５２を備えている。
【００３７】
第１固定部材または第２固定部材はねじ３５１ａ，３５２ａからなり、これらのねじは、結合部材に形成された締結孔（図示せず）を通じてコーナー支持部材に締結される。
図示されてはいないが、固定部材は、図２のように両面に接着性物質が塗布された両面テープとすることもできる。さらに、支持台本体は、品物を収納することができる収納部３６０を備えていることが望ましい。
【００３８】
図６において、図の符号１４０は洗濯機または衣類乾燥機の下部に設置されるレッグであり、レッグの上部１４１はねじが切られており、その下部１４２は床や支持台本体の上面に接触するように構成されている。
レッグは下部１４２の断面が円形や四角形などからなり、レッグはレッグ下部の断面積が、ねじが形成されたレッグ上部の断面積より大きいように段差をもって形成される。最も簡単な例としてはボルトを逆さにして使用することである。
【００３９】
実施形態による支持台の構造を拡大して更に詳しくあらわしたものが図７である。
図７Ａを参照すれば、コーナー支持部材３２０は、四角パネルの一方の角部を凹んだ円弧状に切断した水平パネル３２１と、水平パネルの円弧状に切り落とした角部に対して対角線上にある角部を形成する両辺から真下に折り曲げられた垂直曲折部３２２からなる。
水平パネル３２１の凹んだ円弧の内側には洗濯機または衣類乾燥機のレッグ１４０が接するように設置される。
そして、水平パネル３２１の下面が、レッグ１４０下部と上部との境界に形成された段差によって支持されるように設置される。
図７Ａ及び図７Ｂを参照すると、結合部材３４０はコーナー支持部材の垂直曲折部３２２の側面と、支持台本体３１０の側面上側にねじによって固定されるように設置されている。レッグのねじ切られた上部１４１を洗濯機へねじ込む量を調整することによって洗濯機の高さを調整することができる。また、レッグの下部１４２の厚さを調整することによっても洗濯機の設置高さを調整することがきる。その場合、下部１４２の厚さの異なるものをいくつか必要なだけ用意しておくことが望ましい。
【００４０】
次に、本発明の第５実施形態については、図８を参照して説明する。
図８を参照すれば、本発明の第５実施形態による支持台４００は、洗濯機または衣類乾燥機の下部を所定の高さに支持する支持台本体４１０、そして支持台本体の上部に備えられ、洗濯機または衣類乾燥機の下部レッグの側面を支持して、洗濯機または衣類乾燥機を支持台本体に固定するレッグサポーター４２０を備えている。
各レッグサポーター４２０は、洗濯機または衣類乾燥機のレッグを支持台上部に安定的に収容できる構造とされている。
【００４１】
このために、各レッグサポーター４２０は、洗濯機レッグ１４０を安定的に収容できるように形成された第１収容ホール４２１ａと、また衣類乾燥機レッグ１５０を安定的に収容できるように形成された第２収容ホール４２１ｂとが形成された水平パネル４２１を備えている。
レッグサポーター４２０は支持台本体上部にレッグの数に対応するように結合される。
レッグは通常四つ程度とし、レッグサポーター４２０は支持台本体４１０上部の四方の角部に設けられる。
図８において、支持台本体上部の各角に設けられるレッグサポーターの水平パネル４２１は、ねじのような締結手段によって固定される。
【００４２】
支持本体の前側の角に固定される二つのレッグサポーターに形成される第１、第２収容ホールは互いに繋がり、支持台本体の後ろ側の角に固定される二つのレッグサポーターに形成される第１、第２収容ホールは互いに区切られるように形成されることが望ましい。これは洗濯機レッグ１４０の安定な収容をより容易にするためである。
【００４３】
また、第１収容ホールと第２収容ホールは洗濯機下面の対角線上に並び、第１収容ホールは第２収容ホールより外側にある。その理由は、洗濯機のキャビネットが衣類乾燥機のキャビネットより通常は大きいからである。すなわち、本支持台を洗濯機と乾燥機の双方に使用するためである。
【００４４】
このレッグサポーターは、収容ホールが形成された水平パネル４２１の一端に垂直で上向きに折り曲がった垂直曲折部４２２を更に備えている。
レッグサポーター４２０を洗濯機に締結する例としては、レッグサポーターが洗濯機の側面下部に締結されるか、洗濯機の下面の角に締結される。
【００４５】
図９Ａと図９Ｂを参照すれば、支持台本体４１０の前側の角に固定される二つのレッグサポーター４２０ａ、４２０ｂは、それぞれ洗濯機前側１１１の下面に固定されるように、垂直で上向き折り曲がった部分の終端が前方に曲折して突出した支持部材４２３を更に備え、各支持部材の下面から洗濯機前側の下面にねじ４２４が締結される。勿論ねじの代わりに洗濯機前側下面と、支持部材の上面との間に両面テープを附着させることも可能である。このために、洗濯機前側と後ろ側との間の幅は、支持台の前側と後ろ側との間の幅より広く形成される。
【００４６】
支持台本体の後ろ側の角に固定される二つの各レッグサポーター４２０ｃ、４２０ｄは、垂直曲折部４２２が洗濯機の背面の下部にねじ４２５により固定される。
本実施形態においても、支持台本体は品物を収納することができる収納部４３０を更に備えている。
【００４７】
次に、本発明の第６実施形態による支持台を図１０及び図１１Ａ、１１Ｂを参照して説明する。
本発明の第６実施形態による支持台５００は、洗濯機または衣類乾燥機を所定の高さに支持する支持台本体５１０、支持台本体の上部に備えられ、洗濯機または衣類乾燥機の下部レッグの側面を支持するレッグサポーター５２０、そして洗濯機または衣類乾燥機を支持台本体に固定させるために、洗濯機または衣類乾燥機の側面と支持台本体の側面に備えられる少なくとも一つの結合手段５３０を備えている。
【００４８】
各レッグサポーター５２０は、洗濯機レッグ１４０を安定的に収容できるように形成された第１収容ホール５２１と、衣類乾燥機レッグ１５０を安定的に収容できるように形成された第２収容ホール５２２が形成されたパネルからなり、支持台本体の面にねじなどの締結手段で固定される。
【００４９】
レッグサポーター５２０は、支持台本体の上部のそれぞれの角に固定され、支持台本体の前側の角に固定される二つのレッグサポーターに形成される第１収容ホール５２１ａと第２収容ホール５２２ａは互いに繋がれ、支持台本体の後ろ側の角に固定される二つのレッグサポーターに形成される第１収容ホール５２１ｂと第２収容ホール５２２ｂは互いに区切られる。
これは第５実施形態のように洗濯機レッグの安定な収容を容易にするためである。
【００５０】
第１収容ホール５２１と第２収容ホール５２２は洗濯機下面の対角線上に並んでおり、第１収容ホール５２１は第２収容ホール５２２より外側に位置する。
その理由としては、洗濯機のキャビネットが衣類乾燥機のキャビネットより通常大きいからである。
結合手段５３０は、洗濯機または衣類乾燥機の側面と、その下部に備えられる支持台本体の側面に備えられる結合部材５４０、そして結合部材を洗濯機または衣類乾燥機の側面と、支持台本体の側面に固定させる固定部材５５０を備えている。
【００５１】
結合部材は、六面体状の支持台と六面体状の洗濯機の境界の三方を取り囲むコ字状に形成させた一つの結合部材（図示せず）とすることもできる。
また、結合部材は、六面体状の支持台と六面体状の洗濯機の境界の両側面を図１０のように相互に固定させる結合部材を二つ以上用いることもできる。
【００５２】
これらの構成に加えて、結合部材は支持台と洗濯機の後ろ側を相互に固定させる第３の結合部材（図示せず）を更に備えることもできる。
ここで、結合手段５３０は、洗濯機レッグ１４０または衣類乾燥機レッグ１５０の高さの変化に対応可能に形成されてもよい。
固定部材５５０は、結合部材の上側を洗濯機または衣類乾燥機の側面下部に固定させる第１固定部材５５１、そして結合部材の下側を支持台側面上部に固定させる第２固定部材５５２からなる。
【００５３】
ここで、第１固定部材５５１または第２固定部材５５２の中、少なくとも一つは両面に接着性物質が塗布されたもの、例えば両面テープからなることができる。
また、第１固定部材５５１または第２固定部材５５２の中、少なくとも一つをねじのような締結手段とすることもできる。
固定部材がねじからなる場合、結合部材の上側は所定の間隔で形成された締結孔を有することが望ましい。
【００５４】
図１１Ａ及び図１１Ｂを参照すれば、第１固定部材５５１は、両面テープ５５１ａからなり、第２固定部材はねじ５５２ａからなっている。
勿論、図示されてはいないが、結合部材はボンドによって接着することもできる。
さらに、支持台本体は、品物を収納することができる収納部５６０を更に備えることが望ましい。
第４実施形態と第５実施形態においても第１ないし第３実施形態のように、洗濯機作動時に発生する振動を第４実施形態のレッグサポーターと第５実施形態の結合部材によって低減することができる。
【図面の簡単な説明】
【００５５】
【図１Ａ】一般的なドラム洗濯機及びその支持台の分離斜視図。
【図１Ｂ】従来の洗濯機キャビネットの振動量をあらわした表。
【図２Ａ】本発明による支持台の第１実施形態を示した図。
【図２Ｂ】第１実施形態の洗濯機キャビネットの振動量をあらわした表。
【図３】各々間隔調節部材を含む結合手段及び結合部材をあらわした断面図（Ａ）とそれに使用される結合部材の正面図（Ｂ）。
【図４Ａ】本発明による支持台の第２実施形態を示した図。
【図４Ｂ】第２実施形態の洗濯機キャビネットの振動量をあらわした表。
【図５】本発明による支持台の第３実施形態を示した図。
【図６】本発明による支持台の第４実施形態を示した図。
【図７】本発明による支持台の第４実施形態において、結合部をあらわした斜視図と断面図。
【図８】本発明による支持台の第５実施形態を示した図。
【図９】本発明による支持台の第５実施形態において、前方結合部と後方結合部をあらわした断面図。
【図１０】本発明による支持台の第６実施形態を示した図。
【図１１Ａ】本発明による支持台の第６実施形態の分離斜視図。
【図１１Ｂ】第６実施形態の結合部をあらわした断面図。
【符号の説明】
【００５６】
１００  洗濯機、１１０  洗濯機キャビネット、２００  支持台、２１０  支持台本体、２２０  収納部、２３０  結合手段、２４０  結合部材、２５０  固定部材、２６０  間隔調節部材
【図１Ａ】
2004358214.tif 000003
【図１Ｂ】
2004358214.tif 000004
【図２Ａ】
2004358214.tif 000005
【図２Ｂ】
2004358214.tif 000006
【図３】
2004358214.tif 000007
【図４Ａ】
2004358214.tif 000008
【図４Ｂ】
2004358214.tif 000009
【図５】
2004358214.tif 000010
【図６】
2004358214.tif 000011
【図７】
2004358214.tif 000012
【図８】
2004358214.tif 000013
【図９】
2004358214.tif 000014
【図１０】
2004358214.tif 000015
【図１１Ａ】
2004358214.tif 000016
【図１１Ｂ】
2004358214.tif 000017